(57)【特許請求の範囲】
【請求項１】
固体撮像素子により被写体を撮影して画像を記録媒体に記録するとともに、撮影を行う際に手動合焦が可能な電子カメラにおいて、
前記固体撮像素子からの出力をスルー画像として表示する電子ビューファインダと、
前記手動合焦時に、前記電子ビューファインダで表示されるスルー画像の表示感度を増大させる増感処理手段と、
前記手動合焦時に、前記電子ビューファインダの表示領域のうち合焦対象領域に対応する部分を拡大表示させる処理を行う合焦領域拡大処理手段と、
第１の方向及びこれと逆の第２の方向に回動操作が可能な回動入力手段と、
前記回動入力手段からの入力により前記増感処理手段及び前記合焦領域拡大処理手段を制御する制御手段とを備え、
前記制御手段は、前記手動合焦時に前記回動入力手段の第１の方向の回動操作により、前記増感処理手段に対して前記スルー画像の表示感度を増大させる制御を行い、前記回動入力手段の第２の方向の回動操作により、前記合焦領域拡大処理手段に対して合焦対象領域を拡大表示させる制御を行う
ことを特徴とする電子ビューファインダ付き電子カメラ。
【請求項２】
固体撮像素子により被写体を撮影して画像を記録媒体に記録するとともに、撮影を行う際に手動合焦が可能な電子カメラにおいて、
前記固体撮像素子からの出力をスルー画像として表示する電子ビューファインダと、
前記手動合焦時に、前記電子ビューファインダで表示されるスルー画像の表示感度を増大させる増感処理手段と、
前記手動合焦時に、前記電子ビューファインダの表示領域のうち合焦対象領域に対応する部分を拡大表示させる処理を行う合焦領域拡大処理手段と、
第１のクリック操作及び第２のクリック操作が可能な押圧入力手段と、
前記押圧入力手段からの入力により前記増感処理手段及び前記合焦領域拡大処理手段を制御する制御手段とを備え、
前記制御手段は、前記手動合焦時に前記押圧入力手段の第１のクリック操作により、前記合焦領域拡大処理手段に対して合焦対象領域を拡大表示させる制御を行い、前記押圧入力手段の第２のクリック操作により、前記増感処理手段に対して前記スルー画像の表示感度を増大させる制御を行う
ことを特徴とする電子ビューファインダ付き電子カメラ。
【請求項３】
固体撮像素子により被写体を撮影して画像を記録媒体に記録するとともに、撮影を行う際に手動合焦が可能な電子カメラにおいて、
前記固体撮像素子からの出力をスルー画像として表示する電子ビューファインダと、
前記手動合焦時に、前記電子ビューファインダで表示されるスルー画像の表示感度を増大させる増感処理手段と、
前記手動合焦時に、前記電子ビューファインダの表示領域のうち合焦対象領域に対応する部分を拡大表示させる処理を行う合焦領域拡大処理手段と、
押圧入力手段と、
前記押圧入力手段からの入力により前記増感処理手段及び前記合焦領域拡大処理手段を制御する制御手段とを備え、
前記制御手段は、前記手動合焦時に前記押圧入力手段の第１回目の操作により、前記合焦領域拡大処理手段に対して合焦対象領域を拡大表示させる制御を行い、続いて前記押圧入力手段の第２回目の操作により、前記合焦対象領域の拡大表示に加えて前記増感処理手段に対して前記スルー画像の表示感度を増大させる制御を行い、続いて前記押圧入力手段の第３回目の操作により、前記合焦対象領域の拡大表示及び前記表示感度の増大をそれぞれ解除する制御を行う、
ことを特徴とする電子ビューファインダ付き電子カメラ。
【請求項４】
前記手動合焦が可能な状態に移行させる第１の入力手段と、
第１段入力操作により前記電子ビューファインダの表示を被写体の撮影状態に対応した画像状態に移行させ、第２段入力操作により被写体の撮影を実行させる第２の入力手段とを備えたことを特徴とする請求項１乃至３のいずれか１項に記載の電子ビューファインダ付き電子カメラ。
【発明の詳細な説明】
【０００１】
【発明の属する技術分野】
本発明は、固体撮像素子により被写体を撮影して画像を記録媒体に記録する電子カメラに係り、特に電子ビューファインダ付き電子カメラに関する。
【０００２】
【従来の技術】
被写体像を撮影光学系によりＣＣＤ二次元イメージセンサのような固体撮像素子上に結像して電気信号に変換し、これにより得られた主として静止画の画像信号をディジタル化して半導体メモリなどの記憶媒体に記録する、いわゆる電子カメラが広く普及している。
【０００３】
このような電子カメラにおいては、一般に撮影した記録画像を再生表示するための電子カメラ背面部に設けられた背面液晶パネルとは別に、覗き込み型の光学ビューファインダ（以下、ＯＶＦという）を備えたものが多い。覗き込み型のＯＶＦは、撮影者が電子カメラをしっかりと構え、手ぶれ等を防止しつつ撮影条件を決定するために用いられる。しかし、ＯＶＦを設ける場合には、撮影光学系とは別途に専用の光学系を設ける必要があるため、その分スペースを必要とし、電子カメラの小型化には不利である。また、いわゆる一眼レフタイプの電子カメラでない場合には、パララックスが生じることがある。
【０００４】
一方、この種の電子カメラでは固体撮像素子の出力画像や記録画像を背面液晶パネルに出力することが可能であるため、この背面液晶パネルを利用して電子ビューファインダ（以下、ＥＶＦという）を構成とする場合がある。しかし、背面液晶パネルをＥＶＦとして用いて撮影を行う際には、カメラをしっかりと構えにくく、手ぶれを生じる可能性があり、撮影条件を決定するには必ずしも適切でない場合がある。
【０００５】
このような事情から、近年の電子カメラにおいては、従来一般的に設けられていた覗き込み型のＯＶＦを廃し、ＯＶＦの表示部分に相当する位置に小型の液晶パネルを配置して覗き込み型のＥＶＦとすることが検討されている。
【０００６】
【発明の解決しようとする課題】
一般に、ＯＶＦは基本的に外部から取り込まれた画像をほとんどそのまま表示させるものであるのに対して、ＥＶＦは固体撮像素子により一旦取り込まれたディジタル画像をスルー画像として表示させるものである。このようにＥＶＦの表示画像は、元画像がディジタルデータであるため、データ加工や修正が容易である。このようなＥＶＦの特徴を利用して、電子カメラをさらに使い易くすることが要望されている。
【０００７】
例えば、ＥＶＦにおけるデータ加工の容易さを利用し、フォーカス領域を拡大表示させる技術が特開平１１−５５５６０号公報に開示されている。コントラスト方式のオートフォーカス（ＡＦ）では、縦縞模様、低コントラストや低輝度の被写体に対してはうまく合焦できない場合が多いが、特開平１１−５５５６０号ではマニュアルフォーカス（ＭＦ）時の撮影者の合焦を助けるために、フォーカス領域の拡大表示を行っている。
【０００８】
撮影者の目によるＭＦ時には、縦縞模様や低コントラストでもある程度は合焦可能であるが、ＭＦでもＡＦでも低輝度の場合に合焦状態にしづらい点はかわりはない。また、撮影者はシャッタチャンスに被写体をしっかり確認しつつ迅速に撮影したいと考えるため、本来はＭＦによる合焦を助けるはずのＥＶＦ上の各種表示が、かえって撮影の邪魔となる場合があり得る。
【０００９】
本発明は、このような事情を考慮してなされたもので、その主たる目的はマニュアルフォーカスをＥＶＦ表示を見ながら行う場合に、より合焦のし易いＥＶＦ表示を提供することができる電子ビューファインダ付き電子カメラを提供することにある。
【００１０】
また、本発明の他の目的は、合焦のし易いＥＶＦ表示を行いつつ、被写体を容易かつ迅速に確認することができる電子ビューファインダ付き電子カメラを提供することにある。
【００１１】
【課題を解決するための手段】
上記課題を解決するため、本発明は固体撮像素子により被写体を撮影して画像を記録媒体に記録するとともに、撮影を行う際に手動合焦が可能な電子カメラにおいて、前記固体撮像素子からの出力をスルー画像として表示する電子ビューファインダと、前記手動合焦時に、前記電子ビューファインダで表示されるスルー画像の表示感度を増大させる増感処理手段と、前記手動合焦時に、前記電子ビューファインダの表示領域のうち合焦対象領域に対応する部分を拡大表示させる処理を行う合焦領域拡大処理手段と、第１の方向及びこれと逆の第２の方向に回動操作が可能な回動入力手段と、前記回動入力手段からの入力により前記増感処理手段及び前記合焦領域拡大処理手段を制御する制御手段とを備え、前記制御手段は、前記手動合焦時に前記回動入力手段の第１の方向の回動操作により、前記増感処理手段に対して前記スルー画像の表示感度を増大させる制御を行い、前記回動入力手段の第２の方向の回動操作により、前記合焦領域拡大処理手段に対して合焦対象領域を拡大表示させる制御を行うことを特徴とする。
【００１４】
これにより、増感処理及び拡大表示処理を実行させるための操作性が向上する。
【００１５】
さらに、本発明では手動合焦が可能な状態に移行させる第１の入力手段と、第１段入力操作により電子ビューファインダの表示を被写体の撮影状態に対応した画像状態に移行させ、第２段入力操作により被写体の撮影を実行させる第２の入力手段とを備えることにより、使い勝手がさらに向上する。
【００１６】
この電子カメラでは、第１の入力手段（ＭＦボタン）を押すことにより手動合焦モードに移行するが、電子ビューファインダにおいては上述したように合焦対象領域に対応する部分の拡大表示がされたり、増感処理により画面が明るくなった状態となる。ここで、第１の入力手段を例えば軽く押すなどによって第１段入力操作、いわゆるファーストレリーズを行うと、これらの拡大表示や増感処理を瞬時に解除し、撮影記録されるべき画像に相当する画角及び明るさのスルー画像を瞬時に表示することができるので、撮影者は電子ビューファインダの表示を手動合焦のし易い表示から、実際の被写体の状態を容易かつ迅速に確認できる表示に切り替えることが可能となり、またこの状態から第２の入力手段をさらに押し込んで第２段入力操作、いわゆるセカンドレリーズを行えば、そのまま撮影状態に移行することができる。
【００１９】
【発明の実施の形態】
以下、図面を参照して本発明の実施の形態を説明する。
（第１の実施形態）
図１に、本発明の第１の実施形態に係る電子ビューファインダ付き電子カメラの上面図を示す。電子カメラは大きく分けて、カメラ本体１とレンズ部２からなる。カメラ本体１の前面には、覗き込み型電子ビューファインダ（以下、覗き込み型ＥＶＦという）３が設けられ、さらに上面またはその近傍に、操作キー４、操作ダイヤル５、パワーボタン６、モードダイヤル７、レリーズボタン８、コントロールパネル９及びストロボ収納部１０等が設けられている。カメラ本体１内部のシステム構成については、後述する。
一方、レンズ部２には撮影レンズ系１１、ズームリング１２、ＭＦリング１３、ＭＦボタン１４、さらに図示しない絞り及びシャッタ等が設けられている。
【００２０】
この電子カメラは、ＡＦ（自動合焦：オートフォーカス）モードとＭＦ（手動合焦：マニュアルフォーカス）モードを有する。ＡＦ−ＭＦ間のモード切替は、ＭＦボタン１４をある程度の時間（０．５〜１秒程度）連続して押すことにより行われる。ＭＦリング１３は、ＭＦモード時に撮影レンズ系１１に含まれるフォーカスレンズを動かすためのものである。
【００２１】
操作キー４は、各種の操作入力を行うためのものであり、本実施形態では十字式の入力キーからなる。回転式の操作ダイヤル５も操作入力を行うためのものであるが、撮影者がＥＶＦ３を覗き込みながら、つまり撮影時にのみ、ある程度限定された種類の入力を特に行うために設けられている。
【００２２】
ＡＦモードでは、レリーズボタン８の１ｓｔレリーズ（第１段入力操作）によりフォーカスロックがなされ、２ｎｄレリーズ（第２段入力操作）により撮影が行われる。ＭＦモードでは、後述するようにレリーズボタン８の１ｓｔレリーズによりＥＶＦ３の拡大表示や増感状態が解除されて撮影されるべき状態の画像に戻り、また２ｎｄレリーズにより撮影が行われる。
【００２３】
パワーボタン６は電子カメラの電源オン／オフを行うためのものであり、モードダイヤル７は電子カメラの動作モードを選択するためのものである。レリーズボタン８は、上記のような２段構成のスイッチからなる。コントロールパネル９は、図１では示されていない後述するシステムコントローラによって制御され、撮影モードや条件、残撮影可能枚数その他の情報を表示する。
【００２４】
図２は、本実施形態に係る電子ビューファインダ付き電子カメラのうち特に本発明に係る部分のシステム構成を詳細に示すブロック図である。図示しない被写体からの光は、フォーカスレンズ及びズームレンズ等を含む撮影レンズ系１１と図示しない絞り及びシャッタを経て、ＣＣＤ二次元イメージセンサを用いた固体撮像素子（以下、単にＣＣＤという）２３に入射し、これによりＣＣＤ２３の撮像面上に被写体の画像が結像される。撮影レンズ系１１にはＭＦ時にフォーカスレンズを駆動するフォーカスモータ２１が接続され、またＭＦリング１３にはその回転量に応じてパルス信号を出力するエンコーダ２２が接続されている。
【００２５】
ＣＣＤ２３は、画素と呼ばれる光電変換素子（例えばフォトダイオード）を二次元のマトリクス状に配列して撮像面を構成し、さらに撮像面上にカラーフィルタを配置したものであり、図示しないＣＣＤドライバによって駆動されることより、撮像面に結像された被写体画像に対応した信号電荷を蓄積する。撮像面に蓄積された信号電荷は、シャッタが閉じられた状態でＣＣＤ２３から電気信号として読み出される。
【００２６】
ＣＣＤ２３からの出力信号はＡＥ（自動露光制御）、読み出し、素子シャッタ制御、電力供給、ゲイン調整等の制御等の処理を行う撮像回路２４に入力され、この撮像回路２４から画像信号として出力される。この画像信号は、Ａ／Ｄ変換器２５によりディジタルデータ（以下、画像データという）に変換された後、ＤＲＡＭ２６を経て画像処理部２７に入力され、ここで写真用の静止画像データへの変換処理（静止画処理）を受けて、バッファメモリ２８に一旦格納される。
【００２７】
バッファメモリ２８に格納された画像データを保存するときには、バッファメモリ２８から読み出された画像データが圧縮／伸長部２９により例えばＪＰＥＧ方式で圧縮された後、インタフェース３０を介して記録媒体３１に記録画像データとして書き込まれる。記録媒体３１としては、例えば光磁気ディスクや磁気ディスク、あるいはフラッシュメモリ等が用いられる。
【００２８】
この記録画像データを再生する時には、記録媒体３１から読み出された画像データが圧縮／伸長部２９によって伸長された後、バッファメモリ２８に一旦格納され、バッファメモリ２８から表示制御部３２を経て背面液晶パネル３３に供給されることにより、背面液晶パネル３３によって再生画像が表示される。また、背面液晶パネル３３には撮影時に画像処理部２７から出力されるスルー画像データも表示制御部３２を介して供給され、これにより記録媒体３１に保存する前のスルー画像を背面液晶パネル３３で表示することが可能となっている。
【００２９】
一方、Ａ／Ｄ変換器２５から出力される画像データはＥＶＦ用画像処理部３４にも入力され、ここで動画像表示可能な状態に処理された後、表示制御部３７を介してＥＶＦ用液晶パネル３８によりスルー画像（動画像）として表示される。ＥＶＦ用液晶パネル３８は、図１における覗き込み型ＥＶＦ３を構成する液晶パネル（ＴＦＴパネル）であり、このＥＶＦ用液晶パネル３８にレンズを組み合わせて覗き込み型ＥＶＦ３が構成される。
【００３０】
ＥＶＦ用画像処理部３４は、ＭＦ操作を助ける表示画面作成のためにフォーカス領域拡大処理部３５を備えている。このフォーカス領域拡大処理部３５は、システムコントローラ４０内の後述するＭＦ表示制御部４２からの指令に基づき、ＭＦモード時に電子ズーム処理によって覗き込み型ＥＶＦ３でのフォーカス領域（合焦対象領域）に対応する部分（以下、単にフォーカス領域という）の拡大表示（例えば、２倍若しくは４倍）処理を行う。
【００３１】
システムコントローラ４０は各種の操作信号、つまり図１中の操作キー４、操作ダイヤル５、パワーボタン６、モードダイヤル７、レリーズボタン８及びＭＦボタン１４等からの操作信号を受け付け、電子カメラ内の各部、すなわちフォーカスモータ２１、図示しない絞り及びシャッタ、撮像回路２４、画像処理部２７、圧縮／伸長部２９、表示制御部３２，３７及びその他の制御を行い、また図１中のコントロールパネル９に各種情報を表示させる。
【００３２】
このシステムコントローラ４０には、本発明に関する要素としては特にＭＦ制御部４１及びＭＦ表示制御部４２が設けられている。このシステムコントローラ４０は、図１中のＭＦボタン１４からの入力によりＡＦモードとＭＦモードを切り替える。ＭＦボタン１４の操作には、押してすぐ離すシングルクリックと、続けて押し離すダブルクリックと、ボタンを押した状態を例えば０．５〜１秒程度の間保持した後に離すモード切替押しとがある。モード切替押しにより、ＡＦ−ＭＦ間のモード切り替えが行われる。
【００３３】
ＭＦ制御部４１は、ＭＦモード時にＭＦリング１３の操作に応じて出力されるるエンコーダ２２からのパルス信号に基づいてフォーカスモータ２１を駆動制御することにより、フォーカスレンズを移動させる。本実施形態では、このようにＭＦ方式としてＭＦリング１３の操作に対応してモータ駆動で合焦動作を行うパワーフォーカスを採用している。なお、他の例としてＭＦリング１３の動きがフォーカスレンズの移動に直結する、一般的なＭＦ方式を用いてもよい。
【００３４】
ＭＦ表示制御部４２は、ＭＦボタン１４またはレリーズボタン８の１ｓｔレリーズ（第１段入力操作）に対応して、覗き込み型ＥＶＦ３のＥＶＦ表示を変更するように撮像回路２４及びＥＶＦ画像処理部３４を制御する。ＥＶＦ表示の変更項目としては、フォーカス領域拡大処理部３５に対するフォーカス領域の拡大表示制御（×２，×４）、撮像回路２４に対するＣＣＤ２３からの出力（結果としてＥＶＦ表示される）のゲインアップ（＋３ｄＢ，＋６ｄＢ）（表示感度アップ、すなわち増感処理）制御、といった特殊表示の制御、そして、これらの特殊表示の解除である。拡大表示及びゲインアップを行わせるための操作入力は、各実施形態によって形態が異なるが、これらについては後述する。また、レリーズボタン８の１ｓｔレリーズは拡大表示やゲインアップの解除入力であり、この解除入力により実際に撮影される静止画と同様な画面がＥＶＦ表示される。
【００３５】
次に、図３に示すフローチャート及び図４〜図６に示す覗き込み型ＥＶＦ３の表示例を用いて本実施形態の動作を説明する。
まず、ステップＳ１０１でＭＦボタン１４が一定時間以上（長く）押されたと判定されるとＭＦモードへ移行し（ステップＳ１０２）、次いでＭＦリング１３が操作されたかどうかを判定する（ステップＳ１０３）。
【００３６】
ここで、ＭＦリング１３が操作されない場合は、さらにＭＦボタン１４がシングルクリックされたかどうかを判定し（ステップＳ１０４）、シングルクリックであれば、フォーカス領域拡大処理部３５により覗き込み型ＥＶＦ３上のフォーカス領域拡大処理を行う（ステップＳ１０５）。この場合、シングルクリックを行う毎に、フォーカス領域の拡大表示の倍率を通常→２倍→４倍→通常→２倍…と循環的に変化させ、撮影者が好みの倍率を選ぶようにすることができる。
【００３７】
図４は、このフォーカス領域拡大処理の様子を示す図であり、図４（ａ）に示すように覗き込み型ＥＶＦ３の画面中央部に比較的小さく設定されたフォーカス領域が図４（ｂ）に示すように拡大表示される。図４（ａ）は拡大表示倍率が２倍の例である。このようにすることにより、ＭＦ時の合焦確認を容易に行うことができる。
【００３８】
ＭＦボタン１４がシングルクリックされない場合は、ダブルクリックされたかどうかを判定し（ステップＳ１０６）、ダブルクリックであればＭＦ表示制御部４２により撮像回路２４を制御することによって、覗き込み型ＥＶＦ３の表示をゲインアップする（ステップＳ１０７）。この場合も、ダブルクリックを行う毎に、覗き込み型ＥＶＦ３の表示ゲインを通常ゲイン→３ｄＢアップ→６ｄＢアップ→通常ゲイン→３ｄＢアップ…と循環的に変化させて、撮影者が好みの表示ゲインを選ぶようにすることができる。
【００３９】
図５は、この覗き込み型ＥＶＦ３の表示ゲイン制御の様子を示す図であり、図５（ａ）では低輝度であるため、覗き込み型ＥＶＦ３の表示ゲインが不足し、被写体を確認しにくい状態となっているが、表示ゲインを例えば６ｄＢアップにすると図５（ｂ）に示すように被写体の輝度が向上し、ＭＦ時の合焦確認が容易となる。
【００４０】
ＭＦボタン１４がダブルクリックされない場合、あるいはＭＦボタン１４がダブルクリックされ、覗き込み型ＥＶＦ３の表示ゲインアップがなされた場合は、再びステップＳ１０３でＭＦリング１３が操作されたかどうかを判定し、ＭＦリング１３が操作されない場合はステップＳ１０４〜Ｓ１０７の処理を繰り返す。
【００４１】
一方、ＭＦリング１３が操作されると、フォーカスレンズを移動させ（ステップＳ１０９）、次いでレリーズボタン８の１ｓｔレリーズ（第１段入力操作）がなされたかどうかを判定する（ステップＳ１１０）。ここで、１ｓｔレリーズがなされなければステップＳ１０３に戻り、１ｓｔレリーズがなされると、ステップＳ１０５において覗き込み型ＥＶＦ３でのフォーカス領域拡大処理が行われていたり、あるいはステップＳ１０７で覗き込み型ＥＶＦ３の表示ゲインアップが行われていた場合、これらフォーカス領域拡大処理や表示ゲインアップを解除して撮影画像の表示を行う（ステップＳ１１１）。
【００４２】
この後、レリーズボタン８の２ｎｄレリーズ（第２段入力操作）がなされたかどうかを判定する（ステップＳ１１２）。ここで、２ｎｄレリーズがなされなければステップＳ１０３に戻り、２ｎｄレリーズがなされると撮影及び撮影画像の記録処理を実行し（ステップＳ１１３）、一連の処理を終了する。
【００４３】
図６は、覗き込み型ＥＶＦ３上のフォーカス領域を拡大し、かつ表示ゲインアップを行った場合の例であり、図６（ａ）ではフォーカス領域が小さく、また低輝度で表示ゲインが不足していて、被写体を確認しにくい状態となっているが、フォーカス領域を拡大した後、さらに表示ゲインをアップにすると図６（ｂ）に示すようになり、ＭＦ時の合焦確認がより容易となる。
【００４４】
このように本実施形態によると、ＡＦでは合焦が難しいような場合に覗き込み型ＥＶＦ３上のフォーカス領域を拡大表示することで、撮影者によるＭＦでの合焦が容易となる。また、被写体が低輝度で合焦状態を確認し難い場合でも、覗き込み型ＥＶＦ３の表示ゲインアップを行うことで画面を明るくし、これにより撮影者によるＭＦによる合焦が容易となる。さらに、１ｓｔレリーズでフォーカス領域の拡大表示や表示ゲインアップといった各種のＭＦ用表示が瞬時に解除されるので、容易かつ短時間に撮影したい画像を確認することができる。
【００４５】
（第２の実施形態）
次に、本発明の第２の実施形態について説明する。本実施形態は、電子カメラの構成そのものは第１の実施形態と同様であり、以下のように拡大表示及びゲインアップを行わせるための操作入力の形態が第１の実施形態と異なる。
【００４６】
図７は、本実施形態における処理手順を示すフローチャートであり、ステップＳ２０１〜Ｓ２０３、Ｓ２０９〜Ｓ２１３の処理は、それぞれ第１の実施形態における図３中のステップＳ１０１〜Ｓ１０３、Ｓ１０９〜Ｓ１１３の処理と全く同様である。
【００４７】
本実施形態では、ＭＦボタン１４のシングルクリックの繰り返しにより、覗き込み型ＥＶＦ３のフォーカス領域拡大→表示ゲインアップ＋フォーカス領域拡大→解除の一連の状態が繰り返される点が第１の実施形態と異なる。
【００４８】
すなわち、ステップＳ２０３でＭＦリング１３が操作されない場合は、ＭＦボタン１４が短くオンされた（シングルクリックされた）かどうかを判定し（ステップＳ２０４）、そうでない場合はステップＳ２０３に戻るが、ＭＦボタン１４が短くオンされた場合は、覗き込み型ＥＶＦ３の表示状態を調べる（ステップＳ２０５）。
【００４９】
ここで、ＥＶＦ３の表示状態が拡大表示もゲインアップもなしの場合は、フォーカス領域の拡大表示のみを行う（ステップＳ２０６）。また、ＥＶＦ３の表示状態が拡大表示のみで、ゲインアップなしの場合は、ゲインアップを行う（ステップＳ２０７）。さらに、ＥＶＦ３の表示状態が拡大表示ありで、かつゲインアップもありの場合は、拡大表示とゲインアップをいずれも解除する（ステップＳ２０８）。なお、拡大表示の表示倍率は例えば×２、ゲインアップ率は例えば＋３ｄＢのそれぞれ一種類のみである。
【００５０】
そして、ステップ２０４でＭＦボタン１４が短くオンされなかった場合、及びステップＳ２０６，Ｓ２０７，Ｓ２０８のいずれかの処理が終了した場合は、ステップＳ２０３に戻る。
【００５１】
ステップＳ２０３でＭＦリング１３が操作されたとき、フォーカスレンズを移動させ（ステップＳ２０９）、次いでレリーズボタン８の１ｓｔレリーズ（第１段入力）がなされたかどうかを判定して（ステップＳ２１０）。１ｓｔレリーズがなされると、覗き込み型ＥＶＦ３のフォーカス領域拡大や表示ゲインアップを全て解除して撮影画像の表示を行い（ステップＳ２１１）、次いでレリーズボタン８の２ｎｄレリーズ（第２段入力）がなされたかどうかを判定し（ステップＳ２１２）、２ｎｄレリーズがなされた場合に撮影及び撮影画像の記録処理を行う（ステップＳ２１３）点については、第１の実施形態と同様である。
【００５２】
（第３の実施形態）
図８は、本発明の第３の実施形態に係る電子ビューファインダ付き電子カメラのシステム構成を示す図である。図１と同一部分に同一符号を付して、第１の実施形態との相違点を説明すると、本実施形態は覗き込み型ＥＶＦ３の拡大表示及びゲインアップを行わせるための操作入力の形態が第１の実施形態と異なる。
【００５３】
すなわち、本実施形態ではシステムコントローラ４０内のＭＦ表示制御部４２に対し、新たに図１中の回転式操作ダイヤル５からの出力が入力されており、覗き込み型ＥＶＦ３上のフォーカス領域の拡大表示及びゲインアップのために操作ダイヤル５が用いられる。さらに、ＥＶＦ用画像処理部３４内に新たに表示ゲイン制御部３６が設けられており、この表示ゲイン制御部３６にはＭＦ表示制御部４２からの表示ゲイン制御信号が入力される。
【００５４】
次に、図９に示すフローチャートを参照して本実施形態の動作を説明する。図９において、ステップＳ３０１〜Ｓ３０３、Ｓ３０９〜Ｓ３１３の処理は、それぞれ第１の実施形態における図３中のステップＳ１０１〜Ｓ１０３、Ｓ１０９〜Ｓ１１３の処理と全く同様である。
【００５５】
本実施形態では、操作ダイヤル５の回転方向に応じてフォーカス領域拡大、表示ゲインアップが選択的に行われる。すなわち、ステップＳ３０３でＭＦリング１３が操作されない場合は、次に撮影者により操作ダイヤル５が左向きに回転されたかどうかを判定し（ステップＳ３０４）、左向きに回転された場合は、その回転量に応じて覗き込み型ＥＶＦ３のフォーカス領域を拡大して表示する（ステップＳ３０５）。具体的には、操作ダイヤル５を左方向に回転させてゆくと、フォーカス領域の拡大表示の倍率は通常→２倍→４倍→と順次変化するので、撮影者は好みの表示倍率を選ぶことができる。。
【００５６】
一方、ステップＳ３０４で操作ダイヤル５が左向きに回転されなかったと判定された場合は、今度は右向きに回転されたかどうかを判定し（ステップＳ３０６）、そうでない場合はステップＳ３０３に戻るが、右向きに回転された場合は、その回転量に応じて覗き込み型ＥＶＦ３の表示ゲインをアップする（ステップＳ３０７）。具体的には、操作ダイヤル５を右向きに回転させてゆくと、覗き込み型ＥＶＦ３の表示ゲインは通常ゲイン→３ｄＢアップ→６ｄＢアップ→と順次変化し、撮影者は好みの表示ゲインを選ぶことができる。この後、ステップＳ３０３に戻る。
【００５７】
操作ダイヤル５の回転操作中に撮影者が手を離すと、覗き込み型ＥＶＦ３ではそのとき表示されている拡大表示倍率や表示ゲインが固定される。なお、拡大表示倍率や表示ゲインを確定させるための変形例として、ある拡大表示倍率や表示ゲインのときに、ＭＦボタン１４またはレリーズボタン８の１ｓｔレリーズでその表示状態を確定させるようにしてもよい。
【００５８】
ステップＳ３０３でＭＦリング１３が操作されたとき、フォーカスレンズを移動させ（ステップＳ３０９）、次いでレリーズボタン８の１ｓｔレリーズ（第１段入力）がなされたかどうかを判定して（ステップＳ３１０）。１ｓｔレリーズがなされると、覗き込み型ＥＶＦ３のフォーカス領域拡大や表示ゲインアップを全て解除して撮影画像の表示を行い（ステップＳ３１１）、次いでレリーズボタン８の２ｎｄレリーズ（第２段入力）がなされたかどうかを判定し（ステップＳ３１２）、２ｎｄレリーズがなされた場合に撮影及び撮影画像の記録処理を行う（ステップＳ３１３）点については、第１の実施形態と同様である。
【００５９】
ただし、上記変形例で述べたように覗き込み型ＥＶＦ３で表示される拡大表示倍率や表示ゲインをレリーズボタン８の１ｓｔレリーズで固定する場合には、操作ダイヤル５が回転操作されていないときに１ｓｔレリーズを行うことが必要である。
【００６０】
以上、本発明の実施形態について説明したが、本実施形態は種々変形が可能である。例えば、上記の各実施形態では、覗き込み型ＥＶＦ３での拡大表示を図４（ｂ）、図６（ｂ）に示したようにフォーカス領域の部分のみとしたが、そのフォーカス領域を拡大させる目的で、覗き込み型ＥＶＦ３の表示画像全体を拡大させるようにしてもよい。このようにすると、フォーカス領域の部分のみが不自然に拡大されることがなく、自然な表示が得られる
【００６１】
【発明の効果】
以上説明したように、本発明による電子ビューファインダ付き電子カメラによれば手動合焦時に覗き込み型ＥＶＦでの増感処理及び拡大表示処理を実行させるための操作性が向上する。
【図面の簡単な説明】
【図１】本発明の第１の実施形態に係る電子ビューファインダ付き電子カメラの上面図
【図２】同実施形態に係る電子ビューファインダ付き電子カメラの電子カメラのシステム構成を示すブロック図
【図３】同実施形態の動作を説明するためのフローチャート
【図４】同実施形態における覗き込み型ＥＶＦのＭＦモードにおける通常時及び拡大表示時の表示画面例を示す図
【図５】同実施形態における覗き込み型ＥＶＦのＭＦモードにおける通常時及び表示ゲインアップ時の表示画面例を示す図
【図６】同実施形態における覗き込み型ＥＶＦのＭＦモードにおける通常時及び拡大表示と表示ゲインアップ時の表示画面例を示す図
【図７】本発明の第２の実施形態に係る電子ビューファインダ付き電子カメラの動作を説明するためのフローチャート
【図８】本発明の第３の実施形態に係る電子ビューファインダ付き電子カメラのシステム構成を示すブロック図
【図９】同実施形態の動作を説明するためのフローチャート
【符号の説明】
１…カメラ本体
２…レンズ部
３…覗き込み型ＥＶＦ
４…操作キー
５…操作ダイヤル
８…レリーズボタン（第２の入力手段）
１３…ＭＦリング（回転式入力手段）
１４…ＭＦボタン（第１の入力手段）
１１…撮影レンズ系
２４…ＣＣＤ（固体撮像素子）
２５…Ａ／Ｄ変換器
２６…ＤＲＡＭ
２７…画像処理部
２８…バッファメモリ
２９…圧縮／伸長部
３１…記録媒体
３２…表示制御部
３３…再生用液晶パネル
３４…ＥＶＦ用画像処理部
３５…フォーカス領域拡大処理部
３６…表示ゲイン調整部
３７…表示制御部
３８…ＥＶＦ用液晶パネル
４０…コントローラ
４１…ＭＦ制御部
４２…ＭＦ表示制御部
【図１】
0004274665.tif 000002
【図２】
0004274665.tif 000003
【図３】
0004274665.tif 000004
【図４】
0004274665.tif 000005
【図５】
0004274665.tif 000006
【図６】
0004274665.tif 000007
【図７】
0004274665.tif 000008
【図８】
0004274665.tif 000009
【図９】
0004274665.tif 000010